(57)【要約】【課題】カラーである発光ディスプレイの表示を妨げることなく、非表示時の表面の色を有彩色にして意匠性を増加した発光表示装置を得るものである。【解決手段】発光ディスプレイ３と、発光ディスプレイの視認側（矢印３側）に配置した保護パネル２からなる発光表示装置２である。発光ディスプレイ３はカラー表示ディスプレイである。保護パネル２は、パネル基材２０に形成された複数の有彩色着色層２５を備え、保護パネル２の透過色は無彩色である。【選択図】図１
2010266473.tif 000002
【特許請求の範囲】
【請求項１】
発光ディスプレイと、発光ディスプレイの視認側に配置した保護パネルからなる発光表示装置において、
前記発光ディスプレイはカラー表示ディスプレイであり、
前記保護パネルは複数の有彩色着色層を備え、前記保護パネルの透過色は無彩色であることを特徴とする発光表示装置。
【請求項２】
前記複数の有彩色着色層の間に、反射層を挿入した発光表示パネル。
【発明の詳細な説明】
【技術分野】
【０００１】
本発明は液晶ディスプレイやプラズマディスプレイなどのカラーディスプレイである発光表示装置に関するものであり、より詳しくは、色味を持つ保護パネルを備えた発光表示装置に関するものである。
【背景技術】
【０００２】
従来の発光表示装置は、不測の衝撃からディスプレイを保護するなどのために、その視認面側に保護パネルを配置している。（例えば、特許文献１参照。）。
【０００３】
そして、従来、カラーディスプレイの前面に置かれる保護パネルは無彩色であった。これは、有色透明の保護パネルを置くとカラーディスプレイからの発光を吸収し、輝度を減少させたり、発光の色味を変えたりしてしまうからである。
【先行技術文献】
【特許文献】
【０００４】
【特許文献１】特開２００４−２１２５２１号公報
【発明の概要】
【発明が解決しようとする課題】
【０００５】
無彩色の保護パネルを備えた発光表示装置は、発光ディスプレイの非点灯時に表面が無彩色であり、意匠性に欠ける。
【０００６】
そこで本発明が解決しようとする課題はカラーである発光ディスプレイの表示を妨げずに、非点灯時の表面の色を有彩色にする発光表示装置を得ることにある。
【０００７】
本発明のその他の課題は、本発明の説明により明らかになる。
【課題を解決するための手段】
【０００８】
本発明の一の態様にかかる発光表示装置は、
発光ディスプレイと、発光ディスプレイの視認側に配置した保護パネルからなる発光表示装置において、
前記発光ディスプレイはカラー表示ディスプレイであり、
前記保護パネルは複数の有彩色着色層を備え、前記保護パネルの透過色は無彩色であることを特徴とする。
【０００９】
本発明の好ましい実施態様にかかる発光表示装置は、前記複数の有彩色着色層の間に、反射層を挿入してもよい。本好ましい発明は非点灯時の表面の色が、一層効果的に、有彩色となる発光表示装置である。
【００１０】
以上説明した本発明、本発明の好ましい実施態様、これらに含まれる構成要素は可能な限り組み合わせて実施することができる。
【発明の効果】
【００１１】
本発明にかかる発光表示装置は、その他の構成とともに、複数の有彩色着色層を備える保護パネルを有し、前記保護パネルの透過色は無彩色である構成であり、カラー表示ディスプレイが非表示状態にある（消灯している）ときは、着色層からの反射光の影響で色味を帯びる。一方、カラー表示ディスプレイが表示状態にある（点灯している）ときは、透過光により表現されるディスプレイ表示は、色味を帯びることなく、表示そのままで観察されるという利点がある。
【図面の簡単な説明】
【００１２】
【図１】図１は発光表示装置である液晶表示装置の断面説明図である。
【図２】図２は保護パネルと透過光の相互作用及び保護パネルによる入射光の反射を説明する断面説明図である。
【図３】図３は実施例２である反射層を備えた保護パネルによる、保護パネルと透過光の相互作用及び保護パネルによる入射光の反射を説明する断面説明図である。
【発明を実施するための形態】
【００１３】
以下、図面を参照して本発明の実施例にかかる発光表示装置をさらに説明する。本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【実施例１】
【００１４】
本発明にかかる発光表示装置の一例である液晶表示装置１は、発光ディスプレイである液晶ディスプレイ３と保護パネル２からなる。液晶ディスプレイは複数の色が表示され、カラーディスプレイである。本発明において、カラー表示ディスプレイは、単一の表示面中に２以上の色表示が可能なディスプレイを意味する。
【００１５】
保護パネル２は液晶ディスプレイ３を不測の衝撃や汚損から保護するパネルである。保護パネル２は、例えば、光の半透過性を備えていたり、乱反射防止機能を備えていたりするなど保護以外の機能を備えたパネルであってもよい。
【００１６】
保護パネル２は液晶ディスプレイ３の視認側に配置される。図１中に矢印３で、液晶表示装置の観察方向を示している。すなわち、液晶ディスプレイ３は上側から視認される。
【００１７】
保護パネル２はパネル基材２０の一方表面に複数の有彩色着色層２５を重ねて配置している。パネル基材２０は、例えば、透光性を有する樹脂板である。樹脂フィルムはポリカーボネート、ポリエチレンテレフタレートやアクリルなどが使用できる。
【００１８】
有彩色着色層２５の色は、例えば、赤、橙、黄、緑、青、紫などである。有彩色着色層２５を構成する材料は、樹脂バインダー中に顔料や染料などの着色剤を含有したもの、例えば、インキを使用できる。有彩色着色層２５は、パネル基材３の表面に印刷や塗装などの方法で設けることができる。印刷は、スクリーン印刷、オフセット印刷、グラビア印刷などにより行うことができる。
【００１９】
有彩色着色層は複数積層する。積層の数は、通常、２以上５以下であり、好ましくは２又は３である。
【００２０】
図２に図示した発光表示装置の第一の実施例では、液晶表示装置１は第一の保護パネル２ａを有する。
【００２１】
保護パネルと透過光の相互作用を説明する。第一の保護パネル２ａは、パネル基材２０の一方表面に第一有彩色着色層２１、第二有彩色着色層２２と第三有彩色着色層２３を形成している。つまり、第一の保護パネル２は３層の有彩色着色層を備える。
【００２２】
透過光の色味を左右するのは、有彩色着色層の光吸収である。第一有彩色着色層２１の光吸収をＡ１、第二有彩色着色層２２の光吸収をＡ２、第三有彩色着色層２３での光吸収をＡ３とする。液晶表示パネル３から出て第一の保護パネル２ａを透過する透過光をＰ１で表す。
【００２３】
図２中には、有彩色着色層と透過光Ｐ１が相互作用をして光が吸収されることを模式的に、破線の楕円Ａ１、Ａ２とＡ３で示している。また、図３中に示した有彩色着色層と透過光Ｐ２の相互作用についても同様に図示している。
【００２４】
ここで、波長λｎｍの単色可視光が第一の保護パネル２ａを透過する場合を考察する。第一有彩色着色層２１の透過率をｆＡ１（λ）、第二有彩色着色層２２の透過率をｆＡ２（λ）、第三有彩色着色層２３の透過率をｆＡ３（λ）とする。
【００２５】
層間での反射を無視すると、
第一の保護パネル２ａの透過率は、
ｆＡ１（λ）×ｆＡ２（λ）×ｆＡ３（λ）    −−    式（１）
式（１）であらわされる。
【００２６】
有彩色着色層の積層順を変えても透過スペクトルの形には影響が出ない。
【００２７】
ここで、複数の有彩色着色層を特定色の組み合わせにすれば、第一の保護パネル２ａの透過スペクトルの形を無彩色のスペクトルにすることができる。すなわち、透過光の色味を変えることない保護パネルとなる。
【００２８】
例えば、第一有彩色着色層２１、第二有彩色着色層２２と第三有彩色着色層２３に、赤、青と緑を一色ずつ割り当てればよい。また、例えば、２層の有彩色着色層からなる保護パネルの場合に、一方の有彩色着色層と他方の有彩色着色層を黄と青紫の組み合わせにすればよい。さらに、例えば、２層の有彩色着色層からなる保護パネルの場合に、一方の有彩色着色層と他方の有彩色着色層を赤紫と緑の組み合わせにすればよい。
【００２９】
一方、表示パネル非発行時における保護パネルの色味は、各有彩色着色層の反射で決まる。図２中に、入射光ｉ１の第一有彩色着色層２１での反射光を第一反射光Ｒ１で示し、第二有彩色着色層２２での反射光を第二反射光Ｒ２で示し、第三有彩色着色層２３での反射光を第三反射光Ｒ３で示している。
【００３０】
第一反射光Ｒ１は第一有彩色着色層２１の色味だけを反映する。第二反射光Ｒ２は第一有彩色着色層２１を２回通過するために、第二有彩色着色層２２の色味よりもむしろ第一有彩色着色層２１の色味を強く反映する。第三の反射光Ｒ３についても、同様に第一有彩色着色層の色味を反映するか、もしくはその強度が小さい。
【００３１】
つまり、入射光の全体反射光の色味は、第一有彩色着色層の色味を最も大きく反映し、次に第二有彩色着色層の色味を反映し、さらに第三有彩色着色層の色味を若干反映する。
【００３２】
液晶ディスプレイを発光表示した場合には、透過光Ｐ１が入射光ｉ１の反射光よりも優勢になる。また、液晶ディスプレイを消光した場合には、入射光ｉ１の反射光が透過光Ｐ１よりも優勢になる。このため、液晶ディスプレイを発光表示した場合には、保護パネル２ａを通してディスプレイ画面表示が色味の変更なく観察される。そして、液晶ディスプレイを消光した場合には保護パネル２ａの表面が色味を帯びて視覚認識される。そして第一有彩色着色層の色を変更すれば当該色味を変えることができる。換言すれば、複数の有彩色着色層の層順を変更すれば、当該色味を変えることができる。
【００３３】
本発明において、発光ディスプレイは、液晶ディスプレイに限られず、フラットパネルディスプレイやＣＲＴディスプレイを含む。フラットパネルディスプレイは薄板状の表示装置を意味し、液晶ディスプレイ、ＦＬ（エレクトロルミネッセンス）、ＬＥＤ（発光ダイオード）、ＰＤＰ（プラズマディスプレイ）、ＦＥＤ（フィールドエミッションディスプレイ）などを含むものである。
【実施例２】
【００３４】
図３を参照して実施例２を説明する。第二の実施例である発光表示装置は第二の保護パネル２ｂを備える。
【００３５】
第二の保護パネル２ｂは第一の有彩色着色層２１と第二の有彩色着色層２２の間に反射層２６を備えている。
【００３６】
反射層２６は、例えば半透過性の反射材で形成してもよく、空気層を設けてもよい。半透過性の反射材は、アルミニウム、クロム、などの金属から構成し、その全光線透過率が２０％〜８０％、好ましくは３０％〜７０％の範囲にあるよう、また、その厚さは、１０〜３００Åの範囲にあるように構成する。
【００３７】
反射層２６は色味を持たない材料で形成する。
【００３８】
入射光ｉ２の反射層２６での反射光を強反射光ＲＳ１で示している。その他、第一有彩色着色層２１での反射光を第一反射光Ｒ１で示すなどは、図２における図示と同じである。
【００３９】
第二の保護パネル２ｂに入射光ｉ２が入光すれば、反射層２６に到来した入射光は大部分が反射され強反射光ＲＳ１となる。強反射光ＲＳ１は第一有彩色着色層２１を２回通過するので、第一有彩色着色層２１の色味を反映する。
【００４０】
このため、第二の保護パネル２ｂにあっては、入射光の反射光の色味は、第一有彩色着色層の色味をより一層大きく反映する。
【００４１】
一方透過光Ｐ２は、反射層２６の存在により、若干透過率が減少する。しかし、反射層２６は色味を持たない材料で構成するため、透過光の色味を変えることはない。
【００４２】
反射層は複数の有彩色着色層の層間であればどこに置いてもよい。もっとも、第一有彩色着色層の直下におけば、反射光の色味の設計が容易となり、好ましい。
【産業上の利用可能性】
【００４３】
本発明は家電、音響機器、携帯電話などの小型電子機器、自動車などのインジケータ類の発光表示装置として好適に用いられるものである。
【符号の説明】
【００４４】
１    発光表示装置である液晶表示装置
２    保護パネル
２ａ  第一の保護パネル
２ｂ  第二の保護パネル
３    発光ディスプレイである液晶ディスプレイ
２０  パネル基材
２１  第一有彩色着色層
２２  第二有彩色着色層
２３  第三有彩色着色層
２５  有彩色着色層
２６  反射層
【図１】
2010266473.tif 000003
【図２】
2010266473.tif 000004
【図３】
2010266473.tif 000005